(57)【要約】 【課題】  通常の定期券のように一日に何回でも入出場を繰り返すことができると共に、予め設定された日数に達するまでは連続日でも不連続日であっても、任意の日に駐車場を利用できるように工夫した駐車場用定期券システムと、この定期券を使用する駐車場管理システムを提供する。 【解決手段】  日数定期券３０を、予め設定された日数に達するまでは、連続日でも不連続日でも有効期限無しで、又は、有効期限付きで、駐車場１への入出場に利用できるように構成する。駐車場１の入場口１Ａに、日数定期券３０に対して日数度数一つの減算処理を行う入口定期券読取機２を設け、出場口１Ｂには、日数定期券３０に出場時刻を書き込む出口定期券読取機５を設ける。 【選択図】    図１
2006059208.tif 000002
【特許請求の範囲】
【請求項１】
一旦購入すると、一日に何回でも駐車場への入出場を繰り返すことができる日数定期券を用いて、駐車場への入出場を管理するように構成した駐車場用定期券システムであって、 
上記の日数定期券が、予め設定された日数に達するまでは、連続日でも不連続日でも、有効期限無しで駐車場への入出場に利用できるように構成されていることを特徴とする駐車場用定期券システム。 
【請求項２】
一旦購入すると、一日に何回でも駐車場への入出場を繰り返すことができる日数定期券を用いて、駐車場への入出場を管理するように構成した駐車場用定期券システムであって、 
上記の日数定期券が、予め設定された日数に達するまでは、連続日でも不連続日でも、有効期限付きで駐車場への入出場に利用できるように構成されていることを特徴とする駐車場用定期券システム。 
【請求項３】
定期券を用いて駐車場を最初に利用した日が、有効期間の開始日になるように構成したことを特徴とする請求項２に記載の駐車場用定期券システム。 
【請求項４】
定期券を用いて駐車場を利用した日付を定期券上に表示すると共に、定期券に前回の利用日付がある場合は、これに取り消し線を印字して抹消するように構成したことを特徴とする請求項１、２又は３に記載の駐車場用定期券システム。 
【請求項５】
一旦購入すると、一日に何回でも利用可能な日数定期券を用いて、駐車場への車両の入出場を管理するように構成した駐車場管理システムであって、 
駐車場の入場口に設けた入口定期券読取機に、挿入された日数定期券の種別と有効期限及び日数度数をチェックする入場チェック手段と、これ等全てのチェックが有効である場合に限り、入口ゲートを開いて車両の入場を許可する入場制御手段と、車両を入場させるに当たって、上記日数定期券に対して入場時刻の書き込み、日数度数一つの減算、入場日付の印字、の各処理を行う入場処理手段と、を具備せしめる一方、 
駐車場の出場口に設けた出口定期券読取機には、挿入された日数定期券の種別をチェックする出場チェック手段と、種別が有効である場合に、出口ゲートを開いて車両の出場を許可する出場制御手段と、車両を出場させるに当たって、上記日数定期券に出場時刻を書き込み処理する出場処理手段と、を具備せしめたことを特徴とする定期券を使用する駐車場管理システム。 
【請求項６】
前記入口定期券読取機に設けた入場チェック手段によるチェックの結果、その日が当該日数定期券の最初の使用日であると判断された場合に、前記入場処理手段が日数定期券にその日を起算日とする所定の有効期間を書き込むと共に、上記チェックの結果、日数定期券に過去の入場日付の印字を認めた場合には、上記入場処理手段が当該過去の入場日付に取り消し線を印字処理し、且つ、この取り消し線が印字された過去の入場日付に並べて今回の入場日付を印字処理するように構成したことを特徴とする請求項５に記載の定期券を使用する駐車場管理システム。 
【請求項７】
前記出口定期券読取機に設けた出場チェック手段によるチェックの結果、日数定期券に書き込まれている入場時刻から、当該車両の駐車が複数日にまたがった連泊駐車であると判断された場合に、上記出場チェック手段が当該日数定期券に連泊分の日数度数が残っているか否か、及び、連泊が有効期間内であるか否か、をチェックして、これ等が全て有効である場合に限り、前記出場制御手段が出口ゲートを開いて車両の出場を許可するように構成すると共に、上記連泊駐車した車両を出場させるに当たって、上記出口定期読取機に設けた前記出場処理手段が、上記日数定期券に対して連泊分の日数度数の減算、連泊日付の印字及び出場日を除く連泊日付への取り消し線の印字、の各処理を行い、且つ、上記出場チェック手段によるチェックの結果、その日が当該日数定期券の最初の使用日であると判断された場合には、日数定期券にその日を起算日とする所定の有効期間を書き込み処理するように構成したことを特徴とする請求項５又は６に記載の定期券を使用する駐車場管理システム。 
【請求項８】
駐車場の入場口に、前記の入口定期券読取機に代えて、定期券読取機兼用の駐車券発行機を設置し、出場口には、前記の出口定期券読取機に代えて、定期券読取機兼用の駐車料金精算機を設置して、定期券利用車両と一般駐車車両とを混在して管理できるように構成したことを特徴とする請求項５、６又は７に記載の定期券を使用する駐車場管理システム。 
【発明の詳細な説明】
【技術分野】
【０００１】
本発明は、例えば大型マンションの来客用駐車場や、大型病院の駐車場等に利用して好適な駐車場用定期券システムと、この定期券を使用する駐車場管理システムに関するものである。 
【背景技術】
【０００２】
従来、駐車場において、設定された期間内なら何日でも、しかも当日ならば何回でも入出場がフリーな駐車場の割引きシステムとして、定期券（パスカード）が存在する。これは有効期間の開始日が券に予め書き込まれているか、駐車場に入場後に定期券を発行した日が有効期間の開始日となり、一度有効期間の開始日が決まると有効期間終了日が決定してしまうものである。従って、有効期間が連続日であるのが特徴である。 
【０００３】
一方、特許文献１には、週休二日制や長期休業が増加する社会的傾向に対応した利用客へのサービス向上手段として、定期券の利用期間内において１日毎に利用する日か、利用する見込みの無い日かの利用予定日を登録し、利用予定日の総日数に応じた購入代金で定期券を販売するシステムが記載されている。 
【特許文献１】特開平１０−１６２１６９号公報
【発明の開示】
【発明が解決しようとする課題】
【０００４】
例えば、マンションの来客用駐車場では、客が車で訪問した場合、買い物や食事、観光などで１日に何回も来客用駐車場の入出場を繰り返すことがある。また病院の駐車場では、入院、退院準備や見舞いで１日に何回も駐車場の入出場を繰り返すことがある。いずれの場合も、何日か連続日あるいは不連続日で駐車場を利用することになる。 
【０００５】
さらに工事現場近くの駐車場では、ある程度の期間にわたって工事従事者達がその駐車場を利用するが、工事従事者のスケジュールは天候や他の条件に左右されがちで、その結果、連続日あるいは不連続日で駐車場を利用することになる。 
【０００６】
そこで、１日に何回も駐車場を利用する場合は、定期券を購入するのが経済的に有利に成るのであるが、これまでの定期券は、一度有効期間の開始日が決まると有効期間終了日が決定してしまうものであるので、有効期間の全日数分を使用しなくても、有効期間の終了日以降は使用できなくなるため、不経済であった。 
【０００７】
また、これまでの定期券は、有効期間の開始日が券に予め書き込まれているか、駐車場に入場後に定期券を発行した日が有効期間の開始日となっていたので、任意の日にしかも当日は何回でも入退場がフリーに出来るものとして、予め定期券をマンション等の住人に配布しておいたり、贈答用として販売したりすることがきなかった。 
【０００８】
一方、上記特許文献１に記載されている利用予定日の総日数に応じた購入代金で定期券を販売するシステムでは、上記段落０００６で述べた問題はある程度解消できるが、それでも予め予定を組んでおかなければならず、急な利用には対応できないし、任意の日に利用できるという要件を満たしていないため、配布や贈答用として使用できない問題があった。 
【０００９】
本発明は上述した各問題点を解決するために出願されたものであって、その技術的課題は、通常の定期券のように一日に何回でも入出場を繰り返すことができると共に、予め設定された日数に達するまでは連続日でも不連続日であっても、任意の日に駐車場を利用できるように工夫した駐車場用定期券システムと、この定期券を使用する駐車場管理システムを提供することである。 
【課題を解決するための手段】
【００１０】
（１）  上記の技術的課題を解決するために、本発明の請求項１に係る駐車場用定期券システムによれば、一旦購入すると、一日に何回でも駐車場への入出場を繰り返すことができる日数定期券を用いて、駐車場への入出場を管理するように構成した駐車場用定期券システムであって、上記の日数定期券が、予め設定された日数に達するまでは、連続日でも不連続日でも、有効期限無しで駐車場への入出場に利用できるように構成されていることを特徴としている。 
【００１１】
（２）  また、本発明の請求項２に係る駐車場用定期券システムによれば、一旦購入すると、一日に何回でも駐車場への入出場を繰り返すことができる日数定期券を用いて、駐車場への入出場を管理するように構成した駐車場用定期券システムであって、上記の日数定期券が、予め設定された日数に達するまでは、連続日でも不連続日でも、有効期限付きで駐車場への入出場に利用できるように構成されていることを特徴としている。 
【００１２】
（３）  また、本発明の請求項３に係る駐車場用定期券システムによれば、定期券を用いて駐車場を最初に利用した日が、有効期間の開始日になるように構成したことを特徴としている。 
【００１３】
（４）  更に本発明の請求項４に係る駐車場用定期券システムによれば、定期券を用いて駐車場を利用した日付を定期券上に表示すると共に、定期券に前回の利用日付がある場合は、これに取り消し線を印字して抹消するように構成したことを特徴としている。 
【００１４】
（５）  次に、本発明の請求項５に係る定期券を使用する駐車場管理システムによれば、一旦購入すると、一日に何回でも利用可能な日数定期券を用いて、駐車場への車両の入出場を管理するように構成した駐車場管理システムであって、駐車場の入場口に設けた入口定期券読取機に、挿入された日数定期券の種別（全日、平日、休日、時間指定等の定期の種類）と有効期限及び日数度数をチェックする入場チェック手段と、これ等全てのチェックが有効である場合に限り、入口ゲートを開いて車両の入場を許可する入場制御手段と、車両を入場させるに当たって、上記日数定期券に対して入場時刻の書き込み、日数度数一つの減算、入場日付の印字、の各処理を行う入場処理手段と、を具備せしめる一方、駐車場の出場口に設けた出口定期券読取機には、挿入された日数定期券の種別をチェックする出場チェック手段と、種別が有効である場合に、出口ゲートを開いて車両の出場を許可する出場制御手段と、車両を出場させるに当たって、上記日数定期券に出場時刻を書き込み処理する出場処理手段と、を具備せしめたことを特徴としている。 
【００１５】
（６）  また、本発明の請求項６に係る定期券を使用する駐車場管理システムによれば、前記入口定期券読取機に設けた入場チェック手段によるチェックの結果、その日が当該日数定期券の最初の使用日であると判断された場合に、前記入場処理手段が日数定期券にその日を起算日とする所定の有効期間を書き込むと共に、上記チェックの結果、日数定期券に過去の入場日付の印字を認めた場合には、上記入場処理手段が当該過去の入場日付に取り消し線を印字処理し、且つ、この取り消し線が印字された過去の入場日付に並べて今回の入場日付を印字処理するように構成したことを特徴としている。 
【００１６】
（７）  また、本発明の請求項７に係る定期券を使用する駐車場管理システムによれば、前記出口定期券読取機に設けた出場チェック手段によるチェックの結果、日数定期券に書き込まれている入場時刻から、当該車両の駐車が複数日にまたがった連泊駐車であると判断された場合に、上記出場チェック手段が当該日数定期券に連泊分の日数度数が残っているか否か、及び、連泊が有効期間内であるか否か、をチェックして、これ等が全て有効である場合に限り、前記出場制御手段が出口ゲートを開いて車両の出場を許可するように構成すると共に、上記連泊駐車した車両を出場させるに当たって、上記出口定期読取機に設けた前記出場処理手段が、上記日数定期券に対して連泊分の日数度数の減算、連泊日付の印字及び出場日を除く連泊日付への取り消し線の印字、の各処理を行い、且つ、上記出場チェック手段によるチェックの結果、その日が当該日数定期券の最初の使用日であると判断された場合には、日数定期券にその日を起算日とする所定の有効期間を書き込み処理するように構成したことを特徴としている。 
【００１７】
（８）  更に本発明の請求項８に係る定期券を使用する駐車場管理システムによれば、駐車場の入場口に、前記の入口定期券読取機に代えて、定期券読取機兼用の駐車券発行機を設置し、出場口には、前記の出口定期券読取機に代えて、定期券読取機兼用の駐車料金精算機を設置して、定期券利用車両と一般駐車車両とを混在して管理できるように構成したことを特徴としている。 
【００１８】
上記（１）、（２）で述べた手段によれば、通常の定期券のように一日に何回でも入出場を繰り返すことができる上、予め設定された日数に達するまでは、連続日でも不連続日でも任意の日に駐車場を利用できるシステムであり、且つ、設定した日数に対して購入代金を課すので、１日に何回も駐車場の入退場を繰り返したり、しかもそれが連続日でないような利用者にとって、従来型定期券を購入するよりはるかに経済的に利用することを可能にする。 
【００１９】
上記（３）で述べた手段によれば、駐車場を最初に利用した日が有効期間の開始日であるようにしたので、有効期間をあまり意識する必要がなく、その結果、当該定期券を贈答用として販売したり、マンション等の住人に予め配布したりすることを可能にする。 
【００２０】
上記（４）で述べた手段によれば、利用した日を定期券上に表示するため、あと何日分残っているかが一目で確認できると共に、いつ利用したか過去の履歴を参照することを可能にする。 
【００２１】
上記（５）、（６）、（７）で述べた手段によれば、上記（１）、（２）、（３）、（４）で述べた日数定期券を有効に利用可能な駐車場管理システムを提供することを可能にする。 
【００２２】
上記（８）で述べた手段によれば、入場口には入口定期券読取機の代わりに定期券読取機併用の駐車券発行機を配置し、出場口には出口定期券読取機の代わりに定期券読取機併用の駐車料金精算機を配置して、一般者と定期車の混在型駐車場システムを提供することを可能にする。 
【発明の効果】
【００２３】
以上述べた次第で、本発明に係る駐車場用定期券システム及び定期券を使用する駐車場管理システムによれば、予め設定された日数に達するまでは、連続日でも不連続日でも任意の日に駐車場を利用でき、且つ、設定した日数に対して購入代金を課すため、例えば、贈答用として販売したりマンションの住人等に配布する定期券として好適であり、また、この定期券を有効に利用可能な駐車場管理システムとして、入場口と出場口に定期券読取機を設けるだけの比較的簡単なシステム構成によって、容易に実施することができる利点を発揮できるものであって、マンションの来客用駐車場や病院の駐車場などに使用して、頗る好適なものである。 
【発明を実施するための最良の形態】
【００２４】
以下に、上述した本発明に係る駐車場用定期券システム及び定期券を使用する駐車場管理システムの実施の形態を図面と共に説明すると、図１は本発明の全体を説明した構成図であって、図中、１は本発明が実施されているマンションや病院等の駐車場で、１Ａはその入場口、１Ｂは出場口であって、入場口１Ａには入口定期券読取機２と入口ゲートバー３Ｇを備えた入口ゲート３が設けられ、出場口１Ｂには、出口定期券読取機５と出口ゲートバー６Ｇを備えた出口ゲート６が設けられている。また、駐車場１の近くや、その他任意の場所には定期券販売機２０が設けられている。 
【００２５】
図２は、上述した入口定期券読取機２と出口定期券読取機５の夫々の電気的構成を示したブロック図で、図面はこれ等各読取機２と５の構成を便宜的に一つにまとめて記載したものである。図中、１０，５０はシステムの中心を成すＣＰＵ、１１，５１はシステムプログラムと後述する各種のソフトウエアーが格納されたメモリ、１２，５２はこれ等ＣＰＵ１０，５０とメモリ１１，５１の間にバス１３，５３を介して接続されたインターフェースを示す。 
【００２６】
上記の各インターフェース１２，５２には、挿入された日数定期券３０（図６参照）から各種の情報を読み取ったり、書き込まれているデータの書き換えを行ったりする定期券読取書込み装置１４，５４と、図６に示すように挿入された日数定期券３０に入場日付３３を印字したり、印字済みの過去の入場日付３３に取り消し線３４を印字することができる印字装置１５，５５と、挿入された日数定期券３０の引き込みと送り戻しを行う定期券搬送装置１６，５６と、例えば日数定期券３０の読み取り結果や、日数度数の残りデータ等を表示することができる表示装置１７，５７と、前記入口ゲート１３及び出口ゲート６の各ゲート開閉機３Ａ，６Ａが接続されていて、夫々がＣＰＵ１０，５０の監視下でメモリ１１，５１に格納されている各種のプログラムに従って制御作動される仕組みに成っている。 
【００２７】
図６に示した日数定期券３０において、３１は各種データの読み書きが可能な磁気ストライプで、この磁気ストライプ３１には、当該定期券の種別コードと、有効期限データ（期限無しの場合もある）と、定期券を使用することができる日数度数データが書き込まれており、入場時には入場時刻が書き込まれる仕組みに成っている。有効期限データは、当該定期券３０を最初に使用した日が有効期間の開始日となるように、前記定期券読取書込み装置１４又は５４によって書き込まれ、また、上記日数度数の減算処理も、この定期券読取書込み装置１４又は５４が行う。更に図６において、３２は当該駐車券３０を利用できる日数（図面では１０日）を示したものである。 
【００２８】
また、上記入口定期券読取機２のメモリ１１には、上述したように定期券読取書込み装置１４に、上記挿入された日数定期券３０の磁気ストライプ３１に書き込まれている種別と有効期限及び日数度数を読み取らせてチェックする入場チェック手段と、これ等全てのチェックが有効である場合に限り、入口ゲート３を開いて車両の入場を許可する入場制御手段と、車両を入場させるに当たって、上記日数定期券３０に対して入場時刻の書き込み、日数度数一つの減算、入場日付３３（図６参照）の印字、の各処理を行う入場処理手段と、を実行するための入場処理用プログラムが格納され、出口定期券読取機５のメモリ５１には、挿入された日数定期券３０の種別をチェックする出場チェック手段と、種別が有効である場合に、出口ゲート６を開いて車両の出場を許可する出場制御手段と、車両を出場させるに当たって、上記日数定期券３０に出場時刻を書き込み処理する出場処理手段とを実行するための出場処理用プログラムが格納されている。 
【００２９】
更に、上記入口定期券読取機２のメモリ１１には、日数定期券３０に対して図６（Ｂ）に示すように上述した入場日付３３の印字と、過去の入場日付に対する取り消し線３４の印字を、前記印字装置１５に行わせる一方、当該日数定期券３０の最初の使用日に、その日を起算日とする有効期限を書き込むためのプログラムが格納されている。 
【００３０】
また、上記出口定期券読取機５のメモリ５１には、前記請求項７に記載の処理を実行するためのプログラム、即ち、当該車両の駐車が複数日にまたがった連泊駐車であると判断された場合に、上記出場チェック手段が当該日数定期券３０に連泊分の日数度数が残っているか否か、及び、連泊が有効期間内であるか否か、をチェックして、これ等が全て有効である場合に限り、前記出場制御手段が出口ゲート６を開いて車両の出場を許可する一方、日数定期券３０に対して、連泊分の日数度数の減算と、図６（Ｃ）に示すように連泊日付３３’の印字、及び出場日を除く連泊日付３３’への取り消し線３４’の印字、の各処理を行い、且つ、上記出場チェック手段によるチェックの結果、その日が当該日数定期券３０の最初の使用日であると判断された場合には、日数定期券３０にその日を起算日とする所定の有効期間を書き込み処理するための連泊出場処理用プログラムが格納されている。 
【００３１】
図３は、上述した有効期限付き日数定期券３０を用いて車両を駐車場１に入場（入庫）させる処理手順を説明した入場フローであって、ステップＳ１で日数定期券３０を入口定期券読取機２に挿入すると、ステップＳ２の種別の判定、ステップＳ３の有効期間の判定、ステップＳ４の日数度数の判定が順次行われて、これ等の判定が全てＹＥＳの場合は、ステップＳ５に進んで入口ゲート３がゲートバー３Ｇを開いて車両の入場を許可するが、上記のステップＳ２〜Ｓ４で１つでもＮＯの判定が出ると、ステップＳ９の入場不可の処理（表示又は音声）が成された後、ステップＳ８に進んで日数定期券３０を挿入口に送り戻して処理を終える。 
【００３２】
一方、ステップＳ５で入場が許可されると、ステップＳ６に進んで入場時刻のセット、日数度数−１、有効期間のセット等のデータ書き換え処理が成され、次いで、ステップＳ７に進んで図６（Ｂ）のように過去の入場日３３への取り消し線３４の印字と、今回の入場日（図面では１８日）の印字処理を行った後、ステップＳ８で日数定期券３０を送り戻して処理を終える。 
【００３３】
図４は、上述した日数定期券３０を用いて車両を駐車場１から出場（出庫）させる処理手順を示した出場フローであって、ステップＳ１０に示す日数定期券３０の挿入が行われ、次いで、ステップＳ１１の種別判定がＹＥＳで、ステップＳ１２で連泊と判定されると、ステップＳ１３に進んで連泊分の度数と有効期限が判定され、全てが有効と判定されると、ステップＳ１４に進んで日数度数を連泊分減算するデータの書き換え処理が成され、次いで、ステップＳ１５に進んで図６（Ｃ）に示すように日数定期券３０に対して連泊日３３’の印字と、最終の出場日（図面では２０日）を残して他の日付に取り消し線３４’を印字する処理が成され、次いで、ステップＳ１６に進んで車両の出場が許可される。 
【００３４】
しかし、上記のステップＳ１１又はステップＳ１３で判定がＮＯの場合は、ステップＳ１９に進んで出場不可の処理（表示又は音声）が成され、その後、ステップＳ１８に進んで日数定期券３０を挿入口に送り戻して出場不許可となるが、前記ステップＳ１６で出場が許可されると、ステップＳ１７に進んで出場時刻のセット、有効期間のセットといったデータの書き換え処理が成され、次いで、ステップＳ１８に進んで日数定期券３０が送り戻されて車両の出場が可能となる。尚、前記ステップＳ１２で連泊でないと判定された場合は、そのままステップＳ１６に進んで出場が許可される。 
【００３５】
図５は、上述した日数定期券３０を用いて、同一日に車両を再度駐車場１に再入場（再入庫）させる場合の同一日再入場フローを示したものであって、ステップＳ２０で日数定期券３０を入口定期券読取機２に挿入し、次いで、ステップＳ２３に進んで当該日数定期券３０に記録されている最終出場日（出場時刻から判断する）が本日であるか否かが判定され、ＹＥＳの場合はステップＳ２４に進んで車両の入場が許可されると共に、ステップＳ２５の券データ書き換え（入場時刻のセットのみ）と、ステップＳ２６の日数定期券３０の送り戻しの処理が成されて、同一日再入場の処理が成される。従って、同一日に入場と出場を何回も繰り返しても、日数度数がその都度減算されることはない。 
【００３６】
しかし、ステップＳ２３でＮＯと判定された場合、即ち、最終出場日が本日でないと判定された場合には、前記図３に示したステップＳ４に進んで、通常の入場処理が行われる。また、図５に示したステップＳ２１とＳ２２で夫々ＮＯと判定された場合は、ステップＳ２７の入場不可の処理が成されることは、図３に示した処理と同一である。 
【００３７】
更に本発明では、請求項８に記載の如く、駐車場１の入場口１Ａに設置される入口定期券読取機２に代えて、定期券読取機を兼ねる駐車券発行機を設置し、また、出場口１Ｂには、出口定期券読取機５に代えて、定期券読取機を兼ねる駐車料金精算機を設置すれば、日数定期券３０を利用する車両と、駐車時間に従って駐車料金の精算を行う一般駐車車両とを混在して管理することが可能となる。 
【００３８】
また、図６には日数定期券３０として磁気カードが示されているが、これに代えてＩＣカードを利用する場合もあり、その選択は任意とする。 
【図面の簡単な説明】
【００３９】
【図１】本発明に係る駐車場管理システムの全体を説明した構成図。
【図２】図１に示した駐車場管理システムの電気的構成を説明したブロック図。
【図３】本発明による車両の入場処理の手順を説明したフローチャート。
【図４】本発明による車両の出場処理の手順を説明したフローチャート。
【図５】本発明による車両の同一日再入場処理の手順を説明したフローチャート。
【図６】本発明で使用する日数定期券の一例を示したものであって、（Ａ）は未使用の日数定期券の平面図、（Ｂ）は使用中の日数定期券の平面部、（Ｃ）は連泊して車両を駐車させた場合の日数定期券に対する印字処理の状態を説明した説明図。
【符号の説明】
【００４０】
１            駐車場 
１Ａ          入場口 
１Ｂ          出場口 
２            入口定期券読取機 
５            出口定期券読取機 
３０          日数定期券 
３１          磁気ストライプ 
３３          入場日付 
３４          取り消し線 
【図１】
2006059208.tif 000003
【図２】
2006059208.tif 000004
【図３】
2006059208.tif 000005
【図４】
2006059208.tif 000006
【図５】
2006059208.tif 000007
【図６】
2006059208.tif 000008